(57)【要約】【課題】  従来の携帯電話機では、文字入力時の予測変換機能により表示される変換候補の中に、ユーザの知らない漢字や語句が含まれることがあり、文字入力作業に手間がかかってしまうことがあった。【解決手段】  制御部１は、読み仮名が入力されると、メール作成画面に読み仮名を表示し、通常の辞書を参照して予測変換処理を行う（Ｓ１１，Ｓ１２）。そして、予測した変換候補と選択式辞書に記憶された規定情報との比較を行い（Ｓ１４）、変換候補に含まれる漢字が、選択された選択式辞書に規定されているものである場合には、読み出された漢字をそのまま変換候補表示部１２に表示し（Ｓ１５，図５（ａ）参照）、選択された選択式辞書に規定されているものでない場合には、表示文字規制手段によって読み仮名のままで変換候補表示部１２に表示する（Ｓ１５，図５（ｂ）参照）。【選択図】  図４
2010020681.tif 000002
【特許請求の範囲】
【請求項１】
文字を入力する入力手段と、各読み仮名に対応する各漢字を記憶する原辞書データベースと、前記入力手段によって入力される読み仮名に対応した漢字を前記原辞書データベースから読み出す読出手段と、この読出手段によって読み出した漢字を表示する表示手段とを備えた文字入力機能を有する電子機器において、
前記表示手段に表示させる漢字の種類を規定する情報を記憶する情報記憶手段と、
この情報記憶手段によって規定されている漢字以外はその読み仮名で前記表示手段に表示させる表示文字規制手段とを備えたことを特徴とする電子機器。
【請求項２】
前記情報記憶手段は、前記表示手段に表示させる漢字の種類を規定する情報を複数の人物向けに作成された複数の追加辞書データベースとして記憶し、
この複数の追加辞書データベースの中から外部操作に応じていずれか１つを選択させる辞書選択手段を備え、
前記表示文字規制手段は、前記辞書選択手段によっていずれか１つの追加辞書データベースが選択された場合、前記読出手段によって前記原辞書データベースの中から読み出された漢字を前記辞書選択手段によって選択された追加辞書データベースに記憶された前記情報と比較し、前記読出手段によって前記原辞書データベースの中から読み出された漢字が前記辞書選択手段によって選択された追加辞書データベースに規定されていない漢字である場合には、その読み仮名で前記表示手段に表示させることを特徴とする請求項１に記載の電子機器。
【請求項３】
前記情報記憶手段は、前記表示手段に表示させる漢字の種類を規定する情報を複数の人物向けに作成された複数の追加辞書データベースとして記憶し、
この複数の追加辞書データベースの中から外部操作に応じていずれか１つを選択させる辞書選択手段を備え、
前記表示文字規制手段は、前記辞書選択手段によっていずれか１つの追加辞書データベースが選択された場合、前記読出手段に、前記入力手段によって入力される読み仮名に対応した漢字を前記辞書選択手段によって選択された追加辞書データベースに記憶された前記情報の中から読み出させ、前記入力手段によって入力される読み仮名に対応した漢字が前記辞書選択手段によって選択された追加辞書データベースに規定されていない漢字である場合には、その読み仮名で前記表示手段に表示させることを特徴とする請求項１に記載の電子機器。
【請求項４】
文字を入力する入力手段と、各読み仮名に対応する各漢字を記憶する原辞書データベースと、前記入力手段によって入力される語句に含まれる読み仮名に対応した漢字を前記原辞書データベースから読み出す読出手段と、この読出手段によって読み出した漢字を含む語句を表示する表示手段とを備えた文字入力機能を有する電子機器において、
前記表示手段に表示させる語句の置き換えを規定する情報を記憶する情報記憶手段と、
この情報記憶手段によって規定されている語句は置き換えた表現で前記表示手段に表示させる表示文字変換手段とを備えたことを特徴とする電子機器。
【請求項５】
前記情報記憶手段は、前記表示手段に表示させる語句の置き換えを規定する情報を複数の人物向けに作成された複数の追加辞書データベースとして記憶し、
この複数の追加辞書データベースの中から外部操作に応じていずれか１つを選択させる辞書選択手段を備え、
前記表示文字変換手段は、前記辞書選択手段によっていずれか１つの追加辞書データベースが選択された場合、前記読出手段によって前記原辞書データベースの中から読み出された漢字を含む語句を前記辞書選択手段によって選択された追加辞書データベースに記憶された前記情報と比較し、前記読出手段によって前記原辞書データベースの中から読み出された漢字を含む語句が前記辞書選択手段によって選択された追加辞書データベースによって置き換えられる語句である場合には、置き換えた表現で前記表示手段に表示させることを特徴とする請求項４に記載の電子機器。
【請求項６】
前記情報記憶手段は、前記表示手段に表示させる語句の置き換えを規定する情報を複数の人物向けに作成された複数の追加辞書データベースとして記憶し、
この複数の追加辞書データベースの中から外部操作に応じていずれか１つを選択させる辞書選択手段を備え、
前記表示文字変換手段は、前記辞書選択手段によっていずれか１つの追加辞書データベースが選択された場合、前記読出手段に、前記入力手段によって入力される語句を前記辞書選択手段によって選択された追加辞書データベースに記憶された前記情報と比較させ、前記入力手段によって入力される語句が前記辞書選択手段によって選択された追加辞書データベースによって置き換えられる語句である場合には、置き換えた表現で前記表示手段に表示させることを特徴とする請求項４に記載の電子機器。
【請求項７】
前記追加辞書データベースの内容を外部操作に応じて随時変更させるデータベース内容変更手段を備えることを特徴とする請求項２または請求項３または請求項５または請求項６に記載の電子機器。
【請求項８】
文字を入力する入力機能と、各読み仮名に対応する各漢字を原辞書データベースに記憶する機能と、前記入力機能によって入力される読み仮名に対応した漢字を前記原辞書データベースから読み出す読出機能と、この読出機能によって読み出した漢字を表示する表示機能とをコンピュータに実現させるためのプログラムにおいて、
前記表示機能により表示させる漢字の種類を規定する情報を記憶する情報記憶機能と、
この情報記憶機能によって記憶されている情報で規定されている漢字以外はその読み仮名で前記表示機能により表示させる表示文字規制機能とを備えたことを特徴とするプログラム。
【請求項９】
前記情報記憶機能は、前記表示機能により表示させる漢字の種類を規定する情報を複数の人物向けに作成された複数の追加辞書データベースとして記憶し、
この複数の追加辞書データベースの中から外部操作に応じていずれか１つを選択させる辞書選択機能を備え、
前記表示文字規制機能は、前記辞書選択機能によっていずれか１つの追加辞書データベースが選択された場合、前記読出機能によって前記原辞書データベースの中から読み出された漢字を前記辞書選択機能によって選択された追加辞書データベースに記憶された前記情報と比較し、前記読出機能によって前記原辞書データベースの中から読み出された漢字が前記辞書選択機能によって選択された追加辞書データベースに規定されていない漢字である場合には、その読み仮名で前記表示機能により表示させることを特徴とする請求項８に記載のプログラム。
【請求項１０】
前記情報記憶機能は、前記表示機能により表示させる漢字の種類を規定する情報を複数の人物向けに作成された複数の追加辞書データベースとして記憶し、
この複数の追加辞書データベースの中から外部操作に応じていずれか１つを選択させる辞書選択機能を備え、
前記表示文字規制機能は、前記辞書選択機能によっていずれか１つの追加辞書データベースが選択された場合、前記読出機能により、前記入力機能によって入力される読み仮名に対応した漢字を前記辞書選択機能によって選択された追加辞書データベースに記憶された前記情報の中から読み出させ、前記入力機能によって入力される読み仮名に対応した漢字が前記辞書選択機能によって選択された追加辞書データベースに規定されていない漢字である場合には、その読み仮名で前記表示機能により表示させることを特徴とする請求項８に記載のプログラム。
【請求項１１】
文字を入力する入力機能と、各読み仮名に対応する各漢字を原辞書データベースに記憶する機能と、前記入力機能によって入力される語句に含まれる読み仮名に対応した漢字を前記原辞書データベースから読み出す読出機能と、この読出機能によって読み出した漢字を含む語句を表示する表示機能とをコンピュータに実現させるためのプログラムにおいて、
前記表示機能により表示させる語句の置き換えを規定する情報を記憶する情報記憶機能と、
この情報記憶機能によって記憶されている情報で規定されている語句は置き換えた表現で前記表示機能により表示させる表示文字変換機能とを備えたことを特徴とするプログラム。
【請求項１２】
前記情報記憶機能は、前記表示機能により表示させる語句の置き換えを規定する情報を複数の人物向けに作成された複数の追加辞書データベースとして記憶し、
この複数の追加辞書データベースの中から外部操作に応じていずれか１つを選択させる辞書選択機能を備え、
前記表示文字変換機能は、前記辞書選択機能によっていずれか１つの追加辞書データベースが選択された場合、前記読出機能によって前記原辞書データベースの中から読み出された漢字を含む語句を前記辞書選択機能によって選択された追加辞書データベースに記憶された前記情報と比較し、前記読出機能によって前記原辞書データベースの中から読み出された漢字を含む語句が前記辞書選択機能によって選択された追加辞書データベースによって置き換えられる語句である場合には、置き換えた表現で前記表示機能により表示させることを特徴とする請求項１１に記載のプログラム。
【請求項１３】
前記情報記憶機能は、前記表示機能により表示させる語句の置き換えを規定する情報を複数の人物向けに作成された複数の追加辞書データベースとして記憶し、
この複数の追加辞書データベースの中から外部操作に応じていずれか１つを選択させる辞書選択機能を備え、
前記表示文字変換機能は、前記辞書選択機能によっていずれか１つの追加辞書データベースが選択された場合、前記読出機能により、前記入力機能によって入力される語句を前記辞書選択機能によって選択された追加辞書データベースに記憶された前記情報と比較させ、前記入力機能によって入力される語句が前記辞書選択機能によって選択された追加辞書データベースによって置き換えられる語句である場合には、置き換えた表現で前記表示機能により表示させることを特徴とする請求項１１に記載のプログラム。
【請求項１４】
前記追加辞書データベースの内容を外部操作に応じて随時変更させるデータベース内容変更機能を備えることを特徴とする請求項９または請求項１０または請求項１２または請求項１３に記載のプログラム。
【発明の詳細な説明】
【技術分野】
【０００１】
本発明は、入力手段によって入力される読み仮名に対応した漢字を原辞書データベースから読み出すと共に、読み出した漢字またはこの漢字を含む語句を表示する文字入力機能を備えた電子機器およびプログラムに関するものである。
【背景技術】
【０００２】
従来、このような電子機器としては、例えば、予測変換機能により文字入力が行われる携帯電話機が知られている。予測変換機能とは、ユーザが読み仮名を入力すると、入力された読み仮名と前方一致する語句を予め用意された辞書データの中から検索し、この検索した語句を、入力された読み仮名に対する変換候補として表示する機能のことである。この予測変換機能を備えた携帯電話機によれば、ユーザは、所望の語句の読み仮名の一部を入力したときに表示される変換候補の中から所望の語句を選択するだけで、文字入力作業を容易かつ効率的に行うことができる。
【０００３】
また、最近では、ユーザが所定の単語を入力すると、入力された単語に続き得る語句の候補を辞書データの中から検索し、検索した語句を予測候補として表示する、いわゆるフレーズ予測機能を備えた携帯電話機も提供されている。このフレーズ予測機能によれば、ユーザは、先に入力した単語と組み合わせることができる範囲内で表示される予測候補の中から一の語句を選択するだけで、先に入力した単語に続き得る語句の入力を、その読み仮名を入力することなく簡単に行えるようになる。
【０００４】
下記の特許文献１には、上記の予測変換機能を備えた携帯電話機が開示されている。この携帯電話機では、表示画面上のメール本文入力領域に読み仮名の一部が入力されると、携帯電話機に内蔵された辞書データが参照され、入力された読み仮名から予測される複数の語句が選択候補として選択候補表示欄に一覧表示される。辞書データには、予め携帯電話機に設けられた標準的な辞書（学習辞書、ユーザ登録辞書、内蔵辞書など）の他に、ユーザが追加して使用することができる特殊な辞書（追加辞書など）がある。ユーザは、これら各辞書データが参照されて選択候補表示欄に一覧表示される変換候補の中から、ジョグダイヤルや十字キー等の操作によって一の語句を選択することにより、所望の語句を比較的少ないキー操作で容易に入力することができる。
【特許文献１】特開２００４−２１３２１号公報（段落[００２５]〜[００２７]，[００２９]〜[００３１]）
【発明の開示】
【発明が解決しようとする課題】
【０００５】
しかしながら、上記従来の携帯電話機では、予測変換機能により表示される変換候補の中に、ユーザの知らない漢字や語句が含まれることがある。特に最近では、小学校低学年児童のように学習指導要領で定められている学習漢字を未修学のユーザも珍しくないため、変換候補の中にユーザの知らない漢字や語句が含まれるという状況は、少なくない。
【０００６】
このように、ユーザの知らない漢字や語句が予測変換時の変換候補として表示された場合、ユーザは、表示された漢字や語句の意味が分からないため、表示された変換候補を使用することができない。この結果、ユーザは、予測変換機能を十分に活用できないまま、所望の語句の読み仮名を全文字分入力しなければならなくなる。また、意味の分からない変換候補を誤って選択してしまった場合には、再度読み仮名を入力し直さなければならなくなる。このため、上記従来の携帯電話機では、本来、文字入力を容易にするための予測変換機能によって、かえって、文字入力作業に手間がかかってしまうという矛盾が生じていた。
【課題を解決するための手段】
【０００７】
本発明はこのような課題を解決するためになされたもので、
文字を入力する入力手段と、各読み仮名に対応する各漢字を記憶する原辞書データベースと、入力手段によって入力される読み仮名に対応した漢字を原辞書データベースから読み出す読出手段と、この読出手段によって読み出した漢字を表示する表示手段とを備えた文字入力機能を有する電子機器において、
表示手段に表示させる漢字の種類を規定する情報を記憶する情報記憶手段と、
この情報記憶手段によって規定されている漢字以外はその読み仮名で表示手段に表示させる表示文字規制手段とを備えたことを特徴とする。
【０００８】
この構成によれば、入力手段によって読み仮名が入力されると、この入力される読み仮名に対応した漢字が、読出手段によって原辞書データベースから読み出され、表示手段によって表示される。表示手段に表示される漢字は、表示文字規制手段の規制により、情報記憶手段によって規定されている漢字である場合には、そのまま表示されるが、情報記憶手段によって規定されている漢字以外の漢字である場合には、その読み仮名で表示される。このため、表示手段に表示させる漢字の種類を規定する情報を予めユーザに応じたものにしておくことで、ユーザの知らない漢字が表示手段に表示されてしまうことを未然に防ぐことができると共に、文字を入力し直すといったことが無くなり、文字入力作業に手間がかかってしまうことが防止されるようになる。
【０００９】
また、本発明は、
情報記憶手段は、表示手段に表示させる漢字の種類を規定する情報を複数の人物向けに作成された複数の追加辞書データベースとして記憶し、
この複数の追加辞書データベースの中から外部操作に応じていずれか１つを選択させる辞書選択手段を備え、
表示文字規制手段は、辞書選択手段によっていずれか１つの追加辞書データベースが選択された場合、読出手段によって原辞書データベースの中から読み出された漢字を辞書選択手段によって選択された追加辞書データベースに記憶された情報と比較し、読出手段によって原辞書データベースの中から読み出された漢字が辞書選択手段によって選択された追加辞書データベースに規定されていない漢字である場合には、その読み仮名で表示手段に表示させることを特徴とする。
【００１０】
この構成によれば、辞書選択手段により複数の追加辞書データベースの中から一の追加辞書データベースが選択されると、読出手段により原辞書データベースの中から読み出された漢字と選択された追加辞書データベースに記憶された情報とが比較される。この比較の結果、読出手段により読み出された漢字が追加辞書データベースに規定されているものである場合には、読み出された漢字は、そのまま表示手段に表示される。一方、読出手段により読み出された漢字が追加辞書データベースに規定されているものでない場合には、読み出された漢字は、表示文字規制手段により、その読み仮名で表示手段に表示される。このため、読出手段による漢字の読み出しは、原辞書データベースの中から行われ、表示文字規制手段による規制は、原辞書データベースの中から読み出された漢字が表示手段に表示される際に追加辞書データベースに基づいて行われるようになる。また、ユーザは、複数の人物向けに作成された複数の追加辞書データベースの中から所望の追加辞書データベースを選択することにより、表示手段への表示が規制される漢字の種類を異ならせることができるようになる。例えば、ユーザが小学生である場合には、表示手段に表示させる漢字の種類を規定する情報を、予め学習指導要領で定められた各学年毎の履修漢字に合わせておくことで、学年に応じた追加辞書データベースを選択するだけで、その学年における履修漢字以外の漢字を表示させないようにすることができる。また、表示手段に表示させる漢字の種類を規定する情報を、予め漢字能力検定の各レベルで定められた種類の漢字に合わせておくことで、レベルに応じた追加辞書データベースを選択するだけで、そのレベルにおける漢字以外の漢字を表示させないようにすることもできる。このため、個々のユーザの漢字能力に応じた適切な文字入力環境を提供することが可能になる。
【００１１】
また、本発明は、
情報記憶手段は、表示手段に表示させる漢字の種類を規定する情報を複数の人物向けに作成された複数の追加辞書データベースとして記憶し、
この複数の追加辞書データベースの中から外部操作に応じていずれか１つを選択させる辞書選択手段を備え、
表示文字規制手段は、辞書選択手段によっていずれか１つの追加辞書データベースが選択された場合、読出手段に、入力手段によって入力される読み仮名に対応した漢字を辞書選択手段によって選択された追加辞書データベースに記憶された情報の中から読み出させ、入力手段によって入力される読み仮名に対応した漢字が辞書選択手段によって選択された追加辞書データベースに規定されていない漢字である場合には、その読み仮名で表示手段に表示させることを特徴とする。
【００１２】
この構成によれば、辞書選択手段により複数の追加辞書データベースの中から一の追加辞書データベースが選択されると、表示文字規制手段により、読出手段は、選択された追加辞書データベースの中から入力手段によって入力される読み仮名に対応した漢字を読み出す。入力手段によって入力される読み仮名に対応した漢字が、選択された追加辞書データベースに規定されている漢字である場合には、入力手段によって入力される読み仮名に対応した漢字は、そのまま表示手段に表示される。一方、入力手段によって入力される読み仮名に対応した漢字が、選択された追加辞書データベースに規定されている漢字でなくて、読出手段による上記読み出しができない場合には、入力手段によって入力される読み仮名がそのまま表示手段に表示される。このため、表示文字規制手段による規制により、読出手段により読み出される漢字は、読み出された時点で既に追加辞書データベースにより規定されたものになる。また、この構成においても、ユーザは、複数の人物向けに作成された複数の追加辞書データベースの中から所望の追加辞書データベースを選択することにより、表示手段への表示が規制される漢字の種類を異ならせることができるようになり、個々のユーザの漢字能力に応じた適切な文字入力環境を提供することが可能になる。
【００１３】
また、本発明は、
文字を入力する入力手段と、各読み仮名に対応する各漢字を記憶する原辞書データベースと、入力手段によって入力される語句に含まれる読み仮名に対応した漢字を原辞書データベースから読み出す読出手段と、この読出手段によって読み出した漢字を含む語句を表示する表示手段とを備えた文字入力機能を有する電子機器において、
表示手段に表示させる語句の置き換えを規定する情報を記憶する情報記憶手段と、
この情報記憶手段によって規定されている語句は置き換えた表現で表示手段に表示させる表示文字変換手段とを備えたことを特徴とする。
【００１４】
この構成によれば、入力手段によって読み仮名が入力されると、この入力される読み仮名に対応した漢字を含む語句が読出手段によって原辞書データベースから読み出され、表示手段に表示される。表示手段に表示される語句は、情報記憶手段によって置き換えが規定されている語句でない場合には、入力手段によって入力されたままの表現で表示されるが、情報記憶手段によって置き換えが規定されている語句である場合には、表示文字変換手段により置き換えられた表現で表示される。このため、表示手段に表示させる語句の置き換えを規定する情報を予めユーザに応じたものにしておくことで、ユーザの知らない語句が表示手段に表示されてしまうことを未然に防ぐことができると共に、文字を入力し直すといったことが無くなり、文字入力作業に手間がかかってしまうことが防止されるようになる。
【００１５】
また、本発明は、
情報記憶手段は、表示手段に表示させる語句の置き換えを規定する情報を複数の人物向けに作成された複数の追加辞書データベースとして記憶し、
この複数の追加辞書データベースの中から外部操作に応じていずれか１つを選択させる辞書選択手段を備え、
表示文字変換手段は、辞書選択手段によっていずれか１つの追加辞書データベースが選択された場合、読出手段によって原辞書データベースの中から読み出された漢字を含む語句を辞書選択手段によって選択された追加辞書データベースに記憶された情報と比較し、読出手段によって原辞書データベースの中から読み出された漢字を含む語句が辞書選択手段によって選択された追加辞書データベースによって置き換えられる語句である場合には、置き換えた表現で表示手段に表示させることを特徴とする。
【００１６】
この構成によれば、辞書選択手段により複数の追加辞書データベースの中から一の追加辞書データベースが選択されると、読出手段により原辞書データベースの中から読み出された漢字を含む語句と選択された追加辞書データベースに記憶された情報とが比較される。この比較の結果、読出手段により読み出された漢字を含む語句が追加辞書データベースに基づいて置き換えられるものである場合には、読み出された語句は、表示文字変換手段により置き換えられた表現で表示手段に表示される。一方、読出手段により原辞書データベースの中から読み出された漢字を含む語句が追加辞書データベースに基づいて置き換えられるものでない場合には、読み出された語句は、入力手段によって入力されたままの表現で表示手段に表示される。このため、読出手段による語句の読み出しは、原辞書データベースの中から行われ、表示文字変換手段による置き換えは、原辞書データベースの中から読み出された語句が表示手段に表示される際に追加辞書データベースに基づいて行われるようになる。また、ユーザは、複数の人物向けに作成された複数の追加辞書データベースの中から所望の追加辞書データベースを選択することにより、表示手段に表示される語句の表現を異ならせることができるようになる。このため、個々のユーザの語彙力に応じた適切な文字入力環境を提供することが可能になる。
【００１７】
また、本発明は、
情報記憶手段は、表示手段に表示させる語句の置き換えを規定する情報を複数の人物向けに作成された複数の追加辞書データベースとして記憶し、
この複数の追加辞書データベースの中から外部操作に応じていずれか１つを選択させる辞書選択手段を備え、
表示文字変換手段は、辞書選択手段によっていずれか１つの追加辞書データベースが選択された場合、読出手段に、入力手段によって入力される語句を辞書選択手段によって選択された追加辞書データベースに記憶された情報と比較させ、入力手段によって入力される語句が辞書選択手段によって選択された追加辞書データベースによって置き換えられる語句である場合には、置き換えた表現で表示手段に表示させることを特徴とする。
【００１８】
この構成によれば、辞書選択手段により複数の追加辞書データベースの中から一の追加辞書データベースが選択されると、表示文字変換手段により、読出手段は、入力手段によって入力される語句と選択された追加辞書データベースに記憶された情報とを比較する。この比較の結果、入力手段によって入力される語句が、選択された追加辞書データベースによって置き換えられる語句である場合には、入力手段によって入力される語句は、表示文字変換手段により置き換えられた表現で表示手段に表示される。一方、入力手段によって入力される語句が選択された追加辞書データベースによって置き換えられる語句でない場合には、入力手段によって入力される語句は、入力手段によって入力されたままの表現で表示手段に表示される。このため、表示文字変換手段により、読出手段により読み出される語句は、読み出された時点で既に追加辞書データベースにより規定されたものになる。また、この構成においても、ユーザは、複数の人物向けに作成された複数の追加辞書データベースの中から所望の追加辞書データベースを選択することにより、表示手段に表示される語句の表現を異ならせることができるようになり、個々のユーザの語彙力に応じた適切な文字入力環境を提供することが可能になる。
【００１９】
また、本発明は、追加辞書データベースの内容を外部操作に応じて随時変更させるデータベース内容変更手段を備えることを特徴とする。
【００２０】
この構成によれば、外部操作に応じて、データベース内容変更手段により追加辞書データベースの内容が随時変更されるようになる。このため、ユーザは、追加辞書データベースに規定される漢字の種類を随時変更したり、追加辞書データベースによって置き換えられる語句の種類を随時変更することができ、個々のユーザの漢字能力や語彙力に応じたより適切な文字入力環境を提供することが可能になる。
【００２１】
また、本発明は、
文字を入力する入力機能と、各読み仮名に対応する各漢字を原辞書データベースに記憶する機能と、入力機能によって入力される読み仮名に対応した漢字を原辞書データベースから読み出す読出機能と、この読出機能によって読み出した漢字を表示する表示機能とをコンピュータに実現させるためのプログラムにおいて、
表示機能により表示させる漢字の種類を規定する情報を記憶する情報記憶機能と、
この情報記憶機能によって記憶されている情報で規定されている漢字以外はその読み仮名で表示機能により表示させる表示文字規制機能とを備えたことを特徴とする。
【００２２】
この構成によれば、入力機能によって読み仮名が入力されると、この入力される読み仮名に対応した漢字が、読出機能によって原辞書データベースから読み出され、表示機能によって表示される。表示機能により表示される漢字は、表示文字規制機能により、情報記憶機能によって記憶されている情報で規定されている漢字である場合には、そのまま表示されるが、情報記憶機能によって記憶されている情報で規定されている漢字以外の漢字である場合には、その読み仮名で表示される。このため、表示機能により表示させる漢字の種類を規定する情報を予めユーザに応じたものにしておくことで、ユーザの知らない漢字が表示機能により表示されてしまうことを未然に防ぐことができると共に、文字を入力し直すといったことが無くなり、文字入力作業に手間がかかってしまうことが防止されるようになる。
【００２３】
また、本発明は、
情報記憶機能は、表示機能により表示させる漢字の種類を規定する情報を複数の人物向けに作成された複数の追加辞書データベースとして記憶し、
この複数の追加辞書データベースの中から外部操作に応じていずれか１つを選択させる辞書選択機能を備え、
表示文字規制機能は、辞書選択機能によっていずれか１つの追加辞書データベースが選択された場合、読出機能によって原辞書データベースの中から読み出された漢字を辞書選択機能によって選択された追加辞書データベースに記憶された情報と比較し、読出機能によって原辞書データベースの中から読み出された漢字が辞書選択機能によって選択された追加辞書データベースに規定されていない漢字である場合には、その読み仮名で表示機能により表示させることを特徴とする。
【００２４】
この構成によれば、辞書選択機能により複数の追加辞書データベースの中から一の追加辞書データベースが選択されると、読出機能により原辞書データベースの中から読み出された漢字と選択された追加辞書データベースに記憶された情報とが比較される。この比較の結果、読出機能により読み出された漢字が追加辞書データベースに規定されているものである場合には、読み出された漢字は、そのまま表示機能により表示される。一方、読出機能により読み出された漢字が追加辞書データベースに規定されているものでない場合には、読み出された漢字は、表示文字規制機能により、その読み仮名で表示機能により表示される。このため、読出機能による漢字の読み出しは、原辞書データベースの中から行われ、表示文字規制機能による規制は、原辞書データベースの中から読み出された漢字が表示機能により表示される際に追加辞書データベースに基づいて行われるようになる。また、ユーザは、複数の人物向けに作成された複数の追加辞書データベースの中から所望の追加辞書データベースを選択することにより、表示機能による表示が規制される漢字の種類を異ならせることができるようになる。このため、個々のユーザの漢字能力に応じた適切な文字入力環境を提供することが可能になる。
【００２５】
また、本発明は、
情報記憶機能は、表示機能により表示させる漢字の種類を規定する情報を複数の人物向けに作成された複数の追加辞書データベースとして記憶し、
この複数の追加辞書データベースの中から外部操作に応じていずれか１つを選択させる辞書選択機能を備え、
表示文字規制機能は、辞書選択機能によっていずれか１つの追加辞書データベースが選択された場合、読出機能により、入力機能によって入力される読み仮名に対応した漢字を辞書選択機能によって選択された追加辞書データベースに記憶された情報の中から読み出させ、入力機能によって入力される読み仮名に対応した漢字が辞書選択機能によって選択された追加辞書データベースに規定されていない漢字である場合には、その読み仮名で表示機能により表示させることを特徴とする。
【００２６】
この構成によれば、辞書選択機能により複数の追加辞書データベースの中から一の追加辞書データベースが選択されると、表示文字規制機能による規制により、読出機能によって、選択された追加辞書データベースの中から入力機能によって入力される読み仮名に対応した漢字が読み出される。入力機能によって入力される読み仮名に対応した漢字が、選択された追加辞書データベースに規定されている漢字である場合には、入力機能によって入力される読み仮名に対応した漢字は、そのまま表示機能により表示される。一方、入力機能によって入力される読み仮名に対応した漢字が、選択された追加辞書データベースに規定されている漢字でなくて、読出機能による上記読み出しができない場合には、入力機能によって入力される読み仮名が表示機能により表示される。このため、表示文字規制機能による規制により、読出機能により読み出される漢字は、読み出された時点で既に追加辞書データベースにより規定されたものになる。また、この構成においても、ユーザは、複数の人物向けに作成された複数の追加辞書データベースの中から所望の追加辞書データベースを選択することにより、表示機能による表示が規制される漢字の種類を異ならせることができるようになり、個々のユーザの漢字能力に応じた適切な文字入力環境を提供することが可能になる。
【００２７】
また、本発明は、
文字を入力する入力機能と、各読み仮名に対応する各漢字を原辞書データベースに記憶する機能と、入力機能によって入力される語句に含まれる読み仮名に対応した漢字を原辞書データベースから読み出す読出機能と、この読出機能によって読み出した漢字を含む語句を表示する表示機能とをコンピュータに実現させるためのプログラムにおいて、
表示機能により表示させる語句の置き換えを規定する情報を記憶する情報記憶機能と、
この情報記憶機能によって記憶されている情報で規定されている語句は置き換えた表現で表示機能により表示させる表示文字変換機能とを備えたことを特徴とする。
【００２８】
この構成によれば、入力機能によって読み仮名が入力されると、この入力される読み仮名に対応した漢字を含む語句が読出機能によって原辞書データベースから読み出され、表示機能により表示される。表示機能により表示される語句は、情報記憶機能によって置き換えが規定されている語句でない場合には、入力機能によって入力されたままの表現で表示されるが、情報記憶機能によって置き換えが規定されている語句である場合には、表示文字変換機能により置き換えられた表現で表示される。このため、表示機能により表示させる語句の置き換えを規定する情報を予めユーザに応じたものにしておくことで、ユーザの知らない語句が表示機能により表示されてしまうことを未然に防ぐことができると共に、文字を入力し直すといったことが無くなり、文字入力作業に手間がかかってしまうことが防止されるようになる。
【００２９】
また、本発明は、
情報記憶機能は、表示機能により表示させる語句の置き換えを規定する情報を複数の人物向けに作成された複数の追加辞書データベースとして記憶し、
この複数の追加辞書データベースの中から外部操作に応じていずれか１つを選択させる辞書選択機能を備え、
表示文字変換機能は、辞書選択機能によっていずれか１つの追加辞書データベースが選択された場合、読出機能によって原辞書データベースの中から読み出された漢字を含む語句を辞書選択機能によって選択された追加辞書データベースに記憶された情報と比較し、読出機能によって原辞書データベースの中から読み出された漢字を含む語句が辞書選択機能によって選択された追加辞書データベースによって置き換えられる語句である場合には、置き換えた表現で表示機能により表示させることを特徴とする。
【００３０】
この構成によれば、辞書選択機能により複数の追加辞書データベースの中から一の追加辞書データベースが選択されると、読出機能により原辞書データベースの中から読み出された漢字を含む語句と選択された追加辞書データベースに記憶された情報とが比較される。この比較の結果、読出機能により読み出された漢字を含む語句が追加辞書データベースに基づいて置き換えられるものである場合には、読み出された語句は、表示文字変換機能により置き換えられた表現で表示機能により表示される。一方、読出機能により原辞書データベースの中から読み出された漢字を含む語句が追加辞書データベースに基づいて置き換えられるものでない場合には、読み出された語句は、入力機能によって入力されたままの表現で表示機能により表示される。このため、読出機能による語句の読み出しは、原辞書データベースの中から行われ、表示文字変換機能による置き換えは、原辞書データベースの中から読み出された語句が表示機能により表示される際に追加辞書データベースに基づいて行われるようになる。また、ユーザは、複数の人物向けに作成された複数の追加辞書データベースの中から所望の追加辞書データベースを選択することにより、表示機能により表示される語句の表現を異ならせることができるようになる。このため、個々のユーザの語彙力に応じた適切な文字入力環境を提供することが可能になる。
【００３１】
また、本発明は、
情報記憶機能は、表示機能により表示させる語句の置き換えを規定する情報を複数の人物向けに作成された複数の追加辞書データベースとして記憶し、
この複数の追加辞書データベースの中から外部操作に応じていずれか１つを選択させる辞書選択機能を備え、
表示文字変換機能は、辞書選択機能によっていずれか１つの追加辞書データベースが選択された場合、読出機能により、入力機能によって入力される語句を辞書選択機能によって選択された追加辞書データベースに記憶された情報と比較させ、入力機能によって入力される語句が辞書選択機能によって選択された追加辞書データベースによって置き換えられる語句である場合には、置き換えた表現で表示機能により表示させることを特徴とする。
【００３２】
この構成によれば、辞書選択機能により複数の追加辞書データベースの中から一の追加辞書データベースが選択されると、表示文字変換機能により、読出機能によって、入力手段によって入力される語句と選択された追加辞書データベースに記憶された情報とが比較される。この比較の結果、入力手段によって入力される語句が、選択された追加辞書データベースによって置き換えられる語句である場合には、入力機能によって入力される語句は、表示文字変換機能により置き換えられた表現で表示機能により表示される。一方、入力機能によって入力される語句が選択された追加辞書データベースによって置き換えられる語句でない場合には、入力機能によって入力される語句は、入力機能によって入力されたままの表現で表示機能により表示される。このため、表示文字変換機能により、読出機能により読み出される語句は、読み出された時点で既に追加辞書データベースにより規定されたものになる。また、この構成においても、ユーザは、複数の人物向けに作成された複数の追加辞書データベースの中から所望の追加辞書データベースを選択することにより、表示機能により表示される語句の表現を異ならせることができるようになり、個々のユーザの語彙力に応じた適切な文字入力環境を提供することが可能になる。
【００３３】
また、本発明は、追加辞書データベースの内容を外部操作に応じて随時変更させるデータベース内容変更機能を備えていることを特徴とする。
【００３４】
この構成によれば、外部操作に応じて、データベース内容変更機能により追加辞書データベースの内容が随時変更されるようになる。このため、ユーザは、追加辞書データベースに規定される漢字の種類を随時変更したり、追加辞書データベースによって置き換えられる語句の種類を随時変更することができ、個々のユーザの漢字能力や語彙力に応じたより適切な文字入力環境を提供することが可能になる。
【発明の効果】
【００３５】
本発明による電子機器およびプログラムによれば、上記のように、表示させる漢字の種類を規定する情報や表示させる語句の置き換えを規定する情報を予めユーザに応じたものにしておくことで、ユーザの知らない漢字や語句が表示されてしまうことを未然に防ぐことができると共に、文字を入力し直すといったことが無くなり、文字入力作業に手間がかかってしまうことが防止されるようになる。
【発明を実施するための最良の形態】
【００３６】
次に、本発明による電子機器を、文字入力機能を有する携帯電話機に適用した場合における、本発明を実施するための最良の第１の実施の形態について説明する。
【００３７】
図１は、本実施形態による携帯電話機の構成を示すブロック図である。
【００３８】
本実施形態における携帯電話機は、制御部１、ＲＯＭ（Read Only Memory）２、ＲＡＭ（Random Access Memory）３、アンテナ部４、スピーカ部５、マイク６、表示部７および入力操作部８がバス９に接続されて、構成されている。
【００３９】
制御部１は、ＣＰＵ（Central Processing Unit）からなり、携帯電話機において行われる種々の機能の制御を行う。ＲＯＭ２は、ＥＥＰ（Electrically Erasable Programmable）ＲＯＭといった書き換え可能なフラッシュメモリで構成されており、このＲＯＭ２には、アンテナ部４を介した外部機器との間でのデータ通信や、他の携帯電話機との間でスピーカ部５およびマイク６を用いた電話通信を行うための通信制御プログラムや、種々の情報を表示部７に表示するための表示制御プログラムといった種々の制御プログラムが格納されている。また、ＲＯＭ２には、メール作成時に入力操作部８によって入力された読み仮名を漢字に変換する際に、制御部１により参照される辞書を構成する複数の辞書データベースなども格納されている。また、ＲＡＭ３には、制御部１が上述した種々の制御プログラムの実行や辞書の参照を行う際の、一時的なデータが格納される。
【００４０】
表示部７は、液晶モニタ（ＬＣＤ）で構成されており、メニュー画面や操作案内画面、メール作成画面などの種々の操作画面を表示する。表示部７にメール作成画面が表示されているときには、入力操作部８によって入力された文字が後述する文字表示処理により表示される。入力操作部８によって入力された読み仮名は、ＲＯＭ２に格納された複数の辞書の中から選択された辞書が参照されることにより、漢字を含む語句などに変換されて、表示部７に表示される。
【００４１】
入力操作部８は、文字を入力する入力手段を構成している。また、表示部７は、後述する読出手段によって読み出した漢字を表示する表示手段を構成している。
【００４２】
ＲＯＭ２に格納される辞書データベースは、予め用意された通常の辞書を構成する原辞書データベース、および小学生などの児童向けに設定された選択式辞書を構成する追加辞書データベースからなる。通常の辞書には、入力操作部８によって入力された読み仮名を変換する際に参照される漢字として、常用漢字を含むＪＩＳ第一水準やＪＩＳ第二水準などの範囲に属する漢字が予め登録されている。また、選択式辞書は小学校の各学年に対応した複数の辞書で構成されており、各選択式辞書には、入力操作部８によって入力された読み仮名を変換する際に参照される漢字を規定する情報として、それぞれ、各学年において履修する漢字が格納されている。
【００４３】
ＲＯＭ２は、表示部７に表示させる漢字の種類を規定する情報を、小学校の各学年の児童といった複数の人物向けに作成された複数の選択式辞書として記憶する情報記憶手段を構成している。また、制御部１は、入力操作部８によって入力される読み仮名に対応した漢字を通常の辞書から読み出す読出手段を構成していると共に、複数の選択式辞書の中から入力操作部８による外部操作に応じていずれか１つの選択式辞書を選択させる辞書選択手段を構成している。また、制御部１は、選択式辞書の内容を入力操作部８による外部操作に応じて随時変更させるデータベース内容変更手段を構成している。
【００４４】
また、制御部１は、ＲＯＭ２に格納された通常の辞書または複数の選択式辞書によって規定されている漢字以外は、その読み仮名で表示部７に表示させる表示文字規制手段を構成している。本実施形態では、表示文字規制手段は、辞書選択手段によっていずれか１つの選択式辞書が選択された場合、読出手段によって通常の辞書の中から読み出された漢字を辞書選択手段によって選択された選択式辞書に記憶された情報と比較し、読出手段によって通常の辞書の中から読み出された漢字が辞書選択手段によって選択された選択式辞書に規定されていない漢字である場合には、その読み仮名で表示部７に表示させる。
【００４５】
図２は、メール作成時において文字入力を行う際に参照される辞書を決定する際に、制御部１によって行われる辞書決定処理の概略を示すフローチャートである。
【００４６】
この辞書決定処理では、まず、制御部１は、入力操作部８に対する操作によって辞書を選択する設定メニュー項目が選択された場合に、表示部７に辞書選択画面を表示して、辞書選択を開始する処理を行う（図２，Ｓ１参照）。続いて、制御部１は、表示部７に「選択式辞書にしますか？」という表示を行い、ユーザに対して、入力された読み仮名を漢字に変換する際に参照される辞書を、通常の辞書とするか選択式辞書とするかの選択を促す（Ｓ２）。
【００４７】
ユーザが通常の辞書を選択し、Ｓ２の判別が“ＮＯ”である場合、辞書決定処理は終了する。一方、ユーザが選択式辞書を選択し、Ｓ２の判別が“ＹＥＳ”である場合、制御部１は、
「習熟済みの学年を選んで下さい。
・ひらがなのみ
・１年生  常用漢字
・２年生  常用漢字
・３年生  常用漢字
・４年生  常用漢字
・５年生  常用漢字
・６年生  常用漢字」
という表示を表示部７に行う（Ｓ３）。ユーザによって「１年生  常用漢字」〜「６年生  常用漢字」のいずれかの選択肢が選択されると、制御部１は、ＲＯＭ２から、選択された選択肢に対応した学年向けの選択式辞書を読み出す（Ｓ４）。また、ユーザによって「ひらがなのみ」の選択肢が選択されたときには、辞書の読み出しは行われない。例えば、「１年生用  常用漢字」の選択肢が選択されると、図３（ａ）に示す１年生用の選択式辞書がＲＯＭ２から読み出され、ＲＡＭ３にセットされる。１年生用の選択式辞書には、同図（ａ）に示すように、小学校１年生が履修する１画〜１２画の範囲の８０字の常用漢字が、規定情報として格納されている。
【００４８】
続いて、制御部１は、表示部７に「辞書のカスタマイズをしますか？」という表示を行い、Ｓ４で読み出した選択式辞書のカスタマイズを行う処理がユーザによって選択されたか否かを判別する（Ｓ５）。この判別が“ＹＥＳ”である場合には、制御部１は、辞書カスタマイズ処理を行う（Ｓ６）。辞書カスタマイズ処理では、入力された読み仮名の変換候補（予測変換候補）として使用する漢字を、Ｓ４でＲＡＭ３にセットされた選択式辞書に予め登録されている漢字の中からユーザの操作に基づいて選択する処理や、ユーザの履修状況などに応じて漢字を新規に追加登録したり、既に登録されている漢字を削除する処理などが行われる。Ｓ５の判別が“ＮＯ”である場合、またはＳ７の辞書カスタマイズ処理が終了すると、辞書決定処理は終了する。
【００４９】
図３（ｂ）は、上記の辞書カスタマイズ処理により、１年生用の選択式辞書において変換候補として使用する漢字が、予め格納されている８０字の中から選択された状態を概念的に示している。同図（ｂ）では、小学校１年生で履修する常用漢字８０字のうち、斜線が付された１９個の漢字（一、七、二、入、三、千、川、大、土、手、水、中、天、日、六、右、左、目、名）が、辞書カスタマイズ処理により選択された状態となっている。後述するように、入力操作部８によって入力された読み仮名は、このようにして選択された漢字だけに基づいて、漢字を含む語句などに変換されて、表示部７に表示される。
【００５０】
図４は、メール作成画面において入力された読み仮名を表示部７に表示させる際に、制御部１によって行われる文字表示処理の概略を示すフローチャートである。
【００５１】
この文字表示処理では、まず、制御部１は、入力操作部８に対する操作によって読み仮名が入力されたか否かを判別する（図４，Ｓ１１参照）。この判別が“ＮＯ”である場合、文字表示処理は終了する。また、Ｓ１１の判別が“ＹＥＳ”である場合、制御部１は、表示部７のメール作成画面に入力された読み仮名を表示する。例えば、読み仮名として「きょ」が入力された場合には、図５（ａ），（ｂ）に示すように、メール作成画面上部の入力文字表示部１１に「きょ」が読み仮名として表示される。続いて、制御部１は、入力文字表示部１１に表示された読み仮名に基づいて予測変換処理を行う（Ｓ１２）。予測変換処理では、制御部１は、通常の辞書を参照し、入力された読み仮名に対応する変換候補を読み出して、ＲＡＭ３に格納する。例えば、読み仮名として上記の「きょ」が入力された場合には、制御部１は、図５（ａ）に示す「今日」、「去年」、「今日は」および「教室」などの漢字を含む単語を変換候補として予測し、また、読み仮名として「なま」が入力された場合には、「名前」、「生」、「生クリーム」などの漢字を含む単語を変換候補として予測し、ＲＡＭ３にこれらの変換候補を格納する。
【００５２】
次に、制御部１は、図２，Ｓ３の処理で選択式辞書が選択されているか否かを判別する（Ｓ１３）。この判別が“ＹＥＳ”である場合、制御部１は、Ｓ１２の処理で予測されてＲＡＭ３に格納された変換候補と選択式辞書に記憶された規定情報との比較を行う（Ｓ１４）。具体的には、制御部１は、通常の辞書に基づいて変換されてＲＡＭ３に格納された変換候補に含まれる漢字（図５（ａ）参照）が、図２，Ｓ３の処理で選択された選択式辞書に規定されている漢字の情報に含まれているものであるか否かの判断を行う。
【００５３】
Ｓ１４の比較の結果、読み出されてＲＡＭ３に格納されている変換候補に含まれる漢字が、選択式辞書に規定されているものである場合には、制御部１は、読み出された漢字をそのままメール作成画面下部の変換候補表示部１２に図５（ａ）に示すように表示する（Ｓ１５）。一方、読み出されてＲＡＭ３に格納されている変換候補に含まれる漢字が、選択式辞書に規定されているものでない場合には、制御部１は、通常の辞書に基づいて読み出された漢字を含む変換候補を、表示文字規制手段により読み仮名のままで図５（ｂ）に示すように変換候補表示部１２に表示する（Ｓ１５）。
【００５４】
例えば、１年生用の選択式辞書が選択されている場合には、通常の辞書に基づいて読み出された漢字であって１年生の履修範囲に含まれないものは、ＲＡＭ３に格納されるだけで変換候補表示部１２には表示されず、読み仮名に置き換えられた状態で表示され、１年生の履修範囲内の漢字だけを使用した単語が変換候補表示部１２に表示されるようになる。
【００５５】
また、図２，Ｓ３の処理で選択式辞書が選択されていなくて、Ｓ１３の判別が“ＮＯ”である場合には、制御部１は、Ｓ１２の処理で予測した変換候補を、図５（ａ）に示すように、そのまま変換候補表示部１２に表示する（Ｓ１５）。Ｓ１５の処理が終了すると、文字表示処理は終了する。
【００５６】
上記のように、選択式辞書が選択されていないときには、図５（ａ）に示すように、通常の辞書に基づいて予測変換された単語がそのまま変換候補表示部１２に表示されることになるが、選択式辞書が選択されているときには、図５（ｂ）に示すように、選択された選択式辞書により規定される漢字以外の漢字が読み仮名に置き換えられて変換候補表示部１２に表示されることになる。
【００５７】
このような本実施形態による携帯電話機によれば、上述したように、入力操作部８によって読み仮名が入力されると、この入力される読み仮名に対応した変換候補に含まれる漢字が、読出手段によって通常の辞書から読み出され（図４，Ｓ１２参照）、表示部７の変換候補表示部１２に表示される（図４，Ｓ１５参照）。変換候補表示部１２に表示される漢字は、表示文字規制手段の規制により（図４，Ｓ１４参照）、情報記憶手段によって規定されている漢字である場合には、そのまま表示されるが、情報記憶手段によって規定されている漢字以外の漢字である場合には、その読み仮名で表示される（図５（ｂ）参照）。このため、小学校の児童などのユーザが携帯電話を使用する前に、ユーザ本人や保護者などの者が、変換候補表示部１２に表示させる漢字の種類を規定する情報を、小学校の履修範囲などに応じて、選択式辞書の選択によって予めユーザに応じたものにしておくことで、小学校の児童などのユーザは、選択式辞書により規定される範囲内の漢字のみを用いてメール文章の作成などを行うことができる。よって、小学校の児童などのユーザの知らない漢字が変換候補表示部１２に表示されてしまうことを未然に防ぐことができると共に、入力操作部８から文字を入力し直すといったことが無くなり、文字入力作業に手間がかかってしまうことが防止されるようになる。
【００５８】
また、小学校の児童の保護者が児童宛にメールを作成して送信する場合においても、同様に、表示部７に表示させる漢字の種類を規定する情報を予め児童に応じたものにしておくことで、受信する児童の知らない文字を、児童が所持する携帯電話機の表示部７に表示させないようにすることも可能になる。
【００５９】
また、本実施形態では、辞書選択手段により、小学校の各学年毎に用意された複数の選択式辞書の中から一の選択式辞書が選択されると、読出手段により通常の辞書の中から読み出された漢字と、選択された選択式辞書に記憶された情報とが比較される（図４，Ｓ１４参照）。この比較の結果、読出手段により読み出された漢字が選択式辞書に規定されているものである場合には、読み出された漢字は、そのまま変換候補表示部１２に表示される。一方、読出手段により読み出された漢字が選択式辞書に規定されているものでない場合には、読み出された漢字は、表示文字規制手段により、その読み仮名で変換候補表示部１２に表示される（図５（ｂ）参照）。このため、読出手段による漢字の読み出しは、通常の辞書の中から行われ、表示文字規制手段による規制は、選択式辞書の中から読み出されてＲＡＭ３に格納された漢字が変換候補表示部１２に表示される際に、選択式辞書に基づいて行われるようになる。また、ユーザは、複数の人物向けに作成された複数の選択式辞書の中から所望の選択式辞書を選択することにより、表示部７への表示が規制される漢字の種類を異ならせることができるようになる。例えば、ユーザが小学校の児童である場合には、表示部７に表示させる漢字の種類を規定する情報を、予め、図３（ａ）に示すような学習指導要領で定められた各学年毎の履修漢字に合わせておくことで、学年に応じた選択式辞書を選択するだけで、その学年における履修漢字以外の漢字を表示させないようにすることができる。また、表示部７に表示させる漢字の種類を規定する情報を、予め漢字能力検定の各レベルで定められた種類の漢字に合わせておくことで、レベルに応じた選択式辞書を選択するだけで、そのレベルにおける漢字以外の漢字を表示させないようにすることもできる。このため、個々のユーザの漢字能力に応じた適切な文字入力環境を提供することが可能になる。
【００６０】
また、本実施形態では、入力操作部８からの外部操作に応じて、表示部７に表示させる漢字の種類を辞書カスタマイズ処理により個別に変更することにより、データベース内容変更手段により選択式辞書の内容が随時変更されるようになる（図２，Ｓ６、図３（ａ），（ｂ）参照）。このため、ユーザは、選択式辞書に規定される漢字の種類を随時変更することができ、個々のユーザの漢字能力に応じたより適切な文字入力環境を提供することが可能になる。
【００６１】
なお、上記の第１の実施形態では、入力操作部８によって入力される読み仮名に対応する変換候補が通常の辞書に基づいて決定された後で、選択式辞書が参照されて比較が行われて、変換候補表示部１２に表示させる漢字が読み仮名に置き換えられる場合を説明したが（図４，Ｓ１２，Ｓ１４，Ｓ１５参照）、本発明はこれに限られるものではない。例えば、変形例として、図６および図７に示すように、入力操作部８によって入力される読み仮名が選択式辞書により規定される漢字で置き換えられたものが変換候補として決定され、変換候補表示部１２に表示される構成とすることも可能である。この変形例は、上述した第１の実施形態の文字表示処理（図４参照）の代わりに図６に示す文字表示処理が行われる点以外は、上述した第１の実施形態と同一の構成となっている。
【００６２】
本変形例では、表示文字規制手段は、辞書選択手段によっていずれか１つの選択式辞書が選択された場合、読出手段に、入力操作部８によって入力される読み仮名に対応した漢字を辞書選択手段によって選択された選択式辞書に記憶された情報の中から読み出させ、入力操作部８によって入力される読み仮名に対応した漢字が辞書選択手段によって選択された選択式辞書に規定されていない漢字である場合には、その読み仮名で変換候補表示部１２に表示させる。
【００６３】
図６は、本変形例による文字表示処理の概略を示すフローチャートである。
【００６４】
図６に示す文字表示処理では、まず、制御部１は、図２，Ｓ３の処理で選択式辞書が選択されているか否かを判別する（図６，Ｓ２１参照）。制御部１は、Ｓ２１の判別が“ＹＥＳ”である場合には、選択された選択式辞書をＲＡＭ３にセットし（Ｓ２２）、Ｓ２１の判別が“ＮＯ”である場合には、通常の辞書をＲＡＭ３にセットする（Ｓ２３）。続いて、制御部１は、入力操作部８に対する操作よって読み仮名が入力されたか否かを判別する（Ｓ２４）。この判別が“ＮＯ”である場合、文字表示処理は終了する。また、Ｓ２４の判別が“ＹＥＳ”である場合、制御部１は、入力文字表示部１１に表示された読み仮名に基づいて予測変換処理を行う（Ｓ２５）。予測変換処理では、Ｓ２１の判別が“ＹＥＳ”であって選択式辞書がセットされている場合には、制御部１は、選択式辞書を参照し、入力された読み仮名に対応する漢字の変換候補を読み出して、ＲＡＭ３にセットする。また、Ｓ２１の判別が“ＮＯ”であって通常の辞書がセットされている場合には、通常の辞書に基づいて変換された漢字の変換候補をＲＡＭ３にセットする。続いて、制御部１は、Ｓ２５の処理でＲＡＭ３にセットされた変換候補を変換候補表示部１２に表示する処理を行う（Ｓ２６）。Ｓ２６の処理が終了すると、文字表示処理は終了する。
【００６５】
図７は、上記の文字表示処理において表示部７の変換候補表示部１２に表示される変換候補を用いて作成された文章が、メール作成画面上部の入力文字表示部１１に表示された状態を示しており、同図（ａ）は、図６，Ｓ２３の処理で通常の辞書がセットされて作成された文章が表示された状態、同図（ｂ）は、図６，Ｓ２２の処理で１年生用の選択式辞書がセットされて作成された文章が表示された状態を示している。なお、図７において図５と同一部分には同一の符号を付して説明する。
【００６６】
通常の辞書がセットされているときには、同図（ａ）に示すように「今日は雨が降っている。右手で傘を持って歩いた。」と入力文字表示部１１に表示されるが、１年生用の選択式辞書がセットされているときには、同図（ａ）に示す文章中の「今日」が「きょう」、「降っている」が「ふっている」、「傘」が「かさ」、「持って」が「もって」、「歩いた」が「あるいた」に置き換えられ、同図（ｂ）に示すように「きょうは雨がふっている。右手でかさをもってあるいた。」と表示される。
【００６７】
このような本変形例による携帯電話機によれば、辞書選択手段により複数の選択式辞書の中から一の選択式辞書が選択されると、表示文字規制手段により、読出手段は、選択された選択式辞書の中から入力操作部８によって入力される読み仮名に対応した漢字を読み出す（図６，Ｓ２２〜Ｓ２５参照）。入力操作部８によって入力される読み仮名に対応した漢字が、選択された選択式辞書に規定されている漢字である場合には、入力操作部８によって入力される読み仮名に対応した漢字は、そのまま変換候補として変換候補表示部１２に表示され、作成された文章が入力文字表示部１１に表示される。一方、入力操作部８によって入力される読み仮名に対応した漢字が、選択された選択式辞書に規定されている漢字でなくて、読出手段による上記読み出しができない場合には、入力操作部８によって入力される読み仮名がそのまま変換候補表示部１２に表示され、作成された文章が入力文字表示部１１に表示される（図７（ｂ）参照）。このため、表示文字規制手段による規制により、読出手段により読み出される漢字は、読み出された時点で既に選択式辞書により規定されたものになる。また、この構成においても、ユーザは、複数の人物向けに作成された複数の選択式辞書の中から所望の選択式辞書を選択することにより、表示部７への表示が規制される漢字の種類を異ならせることができるようになり、個々のユーザの漢字能力に応じた適切な文字入力環境を提供することが可能になる。
【００６８】
また、上記の第１の実施形態では、選択式辞書が予め携帯電話機のＲＯＭ２に格納されている場合を説明したが、本発明はこれに限られるものではない。例えば、ユーザが、ホームページなどのサービスを用いて、学習指導要領に応じた各学年毎の漢字群データの情報をダウンロードし、この取得した漢字群データに基づいて選択式辞書を作成して、ＲＯＭ２に格納するようにしてもよい。また、ユーザである小学校の児童の担当教師が、授業で新規に学習した漢字の情報を携帯電話機などのネットワーク経由で配信し、この配信された漢字の情報に基づいて、ユーザが選択式辞書に学習した漢字を新規に登録できる構成とすることも可能である。
【００６９】
次に、本発明の第２の実施形態について説明する。
【００７０】
本実施形態は、後述する児童向け辞書や幼児向け辞書を構成する複数の選択式辞書がＲＯＭ２に格納されている点、ならびに、上述した第１の実施形態の辞書決定処理（図２参照）および文字表示処理（図４参照）の代わりに、それぞれ図８に示す辞書決定処理および図９に示す文字表示処理が行われる点以外は、上述した第１の実施形態と同一の構成となっている。
【００７１】
本実施形態では、表示部７は、読出手段によって読み出した漢字を含む語句を表示する表示手段を構成している。また、ＲＯＭ２は、表示部７に表示させる語句の置き換えを規定する情報を、一般の大人や児童といった複数の人物向けに作成された複数の選択式辞書として記憶する情報記憶手段を構成している。また、制御部１は、入力操作部８によって入力される語句に含まれる読み仮名に対応した漢字を通常の辞書から読み出す読出手段を構成していると共に、情報記憶手段によって規定されている語句は置き換えた表現で表示部７に表示させる表示文字変換手段を構成している。本実施形態では、表示文字変換手段は、辞書選択手段によっていずれか１つの選択式辞書が選択された場合、読出手段に、入力操作部８によって入力される語句を辞書選択手段によって選択された選択式辞書に記憶された情報と比較させ、入力操作部８によって入力される語句が辞書選択手段によって選択された選択式辞書によって置き換えられる語句である場合には、置き換えた表現で表示部７に表示させる。
【００７２】
図８は、メール作成時において文字入力を行う際に参照される辞書を決定する際に制御部１によって行われる辞書決定処理の概略を示すフローチャートである。
【００７３】
この辞書決定処理では、まず、制御部１は、入力操作部８に対する操作によって辞書を選択する設定メニュー項目が選択された場合に、表示部７に辞書選択画面を表示して、辞書選択を開始する処理を行う（図８，Ｓ３１参照）。続いて、制御部１は、表示部７に「選択式辞書にしますか？」という表示を行い、ユーザに対して、入力された語句を異なる表現に置き換える際に参照される辞書を、通常の辞書とするか選択式辞書とするかの選択を促す（Ｓ２）。
【００７４】
ユーザが通常の辞書を選択し、Ｓ３２の判別が“ＮＯ”である場合、辞書決定処理は終了する。一方、ユーザが選択式辞書を選択し、Ｓ３２の判別が“ＹＥＳ”である場合、制御部１は、
「辞書を選んでください。
１．児童向け辞書
２．幼児向け辞書」
という表示を表示部７に行う（Ｓ３３）。ユーザによって「児童向け辞書」または「幼児向け辞書」のいずれかの選択肢が選択されると、制御部１は、ＲＯＭ２から、選択された選択肢に対応した選択式辞書を読み出す（Ｓ３４）。
【００７５】
続いて、制御部１は、表示部７に「辞書のカスタマイズをしますか？」という表示を行い、Ｓ３４で読み出した選択式辞書のカスタマイズを行う処理がユーザによって選択されたか否かを判別する（Ｓ３５）。この判別が“ＹＥＳ”である場合には、制御部１は、辞書カスタマイズ処理を行う（Ｓ３６）。辞書カスタマイズ処理では、入力された語句と置き換えられる異なる表現の語句を追加や削除により変更する処理などが行われる。Ｓ３５の判別が“ＮＯ”である場合、またはＳ３６の辞書カスタマイズ処理が終了すると、辞書決定処理は終了する。
【００７６】
図９は、メール作成画面において入力された語句を表示部７に表示させる際に、制御部１によって行われる文字表示処理の概略を示すフローチャートである。
【００７７】
図９に示す文字表示処理では、まず、制御部１は、図８，Ｓ３３の処理で選択式辞書が選択されているか否かを判別する（図９，Ｓ４１参照）。制御部１は、Ｓ４１の判別が“ＹＥＳ”である場合には、選択された選択式辞書をＲＡＭ３にセットし（Ｓ４２）、Ｓ４１の判別が“ＮＯ”である場合には、通常の辞書をＲＡＭ３にセットする（Ｓ４３）。続いて、制御部１は、入力操作部８に対する操作よって読み仮名が入力されたか否かを判別する（Ｓ４４）。この判別が“ＮＯ”である場合、文字表示処理は終了する。
【００７８】
Ｓ４４の判別が“ＹＥＳ”である場合、制御部１は、入力操作部８によって入力されて入力文字表示部１１に表示される文字に基づいて入力文字変換処理を行う（Ｓ４５）。入力文字変換処理では、Ｓ４１の判別が“ＹＥＳ”であって選択式辞書がセットされている場合には、制御部１は、入力操作部８によって入力される語句と選択式辞書に記憶された情報とを比較する。この比較の結果、入力操作部８によって入力される語句が選択式辞書により置き換えられる語句であるときには、入力操作部８によって入力される語句を選択式辞書に基づいて置き換え、変換候補としてＲＡＭ３にセットする。一方、比較の結果、入力操作部８によって入力される語句が選択式辞書により置き換えられる語句ではないときには、入力操作部８によって入力される語句の置き換えを行わずに、そのままの表現で変換候補としてＲＡＭ３にセットする。また、Ｓ４１の判別が“ＮＯ”であって通常の辞書がセットされているときには、制御部１は、入力操作部８によって入力される語句の置き換えを行わずに、通常の辞書を参照して語句に含まれる読み仮名を漢字変換し、それを変換候補としてＲＡＭ３にセットする。
【００７９】
次に、制御部１は、Ｓ４５の処理でＲＡＭ３に格納された変換候補である語句を変換候補表示部１２に表示する処理を行う（Ｓ４６）。Ｓ４６の処理が終了すると、文字表示処理は終了する。
【００８０】
図１０は、上記の文字表示処理において表示部７の変換候補表示部１２に表示される変換候補を用いて作成された文章が、メール作成画面上部の入力文字表示部１１に表示された状態を示しており、同図（ａ）は、図９，Ｓ４３の処理で通常の辞書がセットされて作成された文章が表示された状態、同図（ｂ）は、図９，Ｓ４２の処理で選択式辞書のうちの児童向け辞書がセットされて作成された文章が表示された状態、同図（ｃ）は、図９，Ｓ４２の処理で選択式辞書のうちの幼児向け辞書がセットされて作成された文章が表示された状態を示している。なお、図１０において図５，図７と同一部分には同一の符号を付して説明する。
【００８１】
通常の辞書がセットされているときには、同図（ａ）に示すように「メールを作成します」と入力文字表示部１１に表示されるが、児童向け辞書がセットされているときには、同図（ａ）に示す文章中の「作成します」が、児童向けの表現である「つくります」に置き換えられ、同図（ｂ）に示すように「メールをつくります」と表示される。また、幼児向け辞書がセットされているときには、同図（ａ）に示す文章中の「メール」が、幼児用に、平仮名の「めえる」に手紙の絵柄が結合したものに置き換えられると共に、「作成します」が「つくります」に置き換えられ、同図（ｃ）に示すように表示される。
【００８２】
このような本実施形態による携帯電話機によれば、上述したように、入力操作部８によって読み仮名が入力されると、この入力される読み仮名に対応した漢字を含む語句が読出手段によって通常の辞書から読み出され（図９，Ｓ４５参照）、表示部７の変換候補表示部１２や入力文字表示部１１に表示される（図９，Ｓ４６参照）。変換候補表示部１２や入力文字表示部１１に表示される語句は、情報記憶手段によって置き換えが規定されている語句でない場合には、入力操作部８によって入力されたままの表現で表示されるが、情報記憶手段によって置き換えが規定されている語句である場合には、表示文字変換手段により置き換えられた表現で表示される（図９，Ｓ４６、図１０（ｂ），（ｃ）参照）。このため、小学校の児童などのユーザが携帯電話を使用する前に、ユーザ本人や保護者などの者が、変換候補表示部１２や入力文字表示部１１に表示させる語句の置き換えを規定する情報を、選択式辞書の選択によって予めユーザに応じたものにしておくことで、小学校の児童などのユーザの知らない語句が変換候補表示部１２や入力文字表示部１１に表示されてしまうことを未然に防ぐことができると共に、文字を入力し直すといったことが無くなり、文字入力作業に手間がかかってしまうことが防止されるようになる。
【００８３】
また、本実施形態では、辞書選択手段により複数の選択式辞書の中から一の選択式辞書が選択されると、表示文字変換手段により、読出手段は、入力操作部８によって入力される語句と選択された選択式辞書に記憶された情報とを比較する（図９，Ｓ４５参照）。この比較の結果、入力操作部８によって入力される語句が、選択式辞書によって置き換えられる語句であるときには、入力操作部８によって入力される語句は、表示文字変換手段により置き換えられた表現で変換候補表示部１２や入力文字表示部１１に表示される（図１０（ｂ），（ｃ）参照）。一方、入力操作部８によって入力される語句が選択式辞書によって置き換えられる語句でないときには、入力操作部８によって入力される語句は、入力操作部８によって入力されたままの表現で変換候補表示部１２や入力文字表示部１１に表示される。このため、表示文字変換手段により、読出手段により読み出される語句は、読み出された時点で既に選択式辞書により規定されたものになる。また、この構成においても、ユーザは、複数の人物向けに作成された複数の選択式辞書の中から所望の選択式辞書を選択することにより、変換候補表示部１２や入力文字表示部１１に表示される語句の表現を異ならせることができるようになり、個々のユーザの語彙力に応じた適切な文字入力環境を提供することが可能になる。
【００８４】
また、本実施形態では、入力操作部８からの外部操作に応じて、データベース内容変更手段により選択式辞書の内容が随時変更される（図８，Ｓ３６参照）。このため、ユーザは、選択式辞書によって置き換えられる語句の種類を随時変更することができ、個々のユーザの語彙力に応じたより適切な文字入力環境を提供することが可能になる。
【００８５】
なお、上記の第２の実施形態では、入力操作部８によって入力される語句が選択式辞書により異なる表現に置き換えられたものが、変換候補として決定され、変換候補表示部１２や入力文字表示部１１に表示される場合を説明したが（図９，Ｓ４５，Ｓ４６参照）、本発明はこれに限られるものではない。例えば、変形例として、図１１に示すように、入力操作部８によって入力される語句が通常の辞書に基づいて変換候補として決定された後で、選択式辞書が参照されて比較が行われ、変換候補表示部１２や入力文字表示部１１に表示させる語句が異なる表現に置き換えられる構成とすることも可能である。この変形例は、上述した第２の実施形態の文字表示処理（図９参照）の代わりに図１１に示す文字表示処理が行われる点以外は、上述した第２の実施形態と同一の構成となっている。
【００８６】
本変形例では、表示文字規制手段は、辞書選択手段によっていずれか１つの選択式辞書が選択された場合、読出手段によって通常の辞書の中から読み出された漢字を含む語句を辞書選択手段によって選択された選択式辞書に記憶された情報と比較し、読出手段によって通常の辞書の中から読み出された漢字を含む語句が辞書選択手段によって選択された選択式辞書によって置き換えられる語句である場合には、置き換えた表現で変換候補表示部１２や入力文字表示部１１に表示させる。
【００８７】
図１１は、本変形例による文字表示処理の概略を示すフローチャートである。
【００８８】
図１１に示す文字表示処理では、まず、制御部１は、入力操作部８に対する操作よって語句が入力されたか否かを判別する（図１１，Ｓ５１参照）。この判別が“ＮＯ”である場合、文字表示処理は終了する。また、Ｓ５１の判別が“ＹＥＳ”である場合、制御部１は、入力操作部８によって入力されて入力文字表示部１１に表示される文字に基づいて入力文字変換処理を行う（Ｓ５２）。入力文字変換処理では、制御部１は、通常の辞書を参照し、入力された語句に含まれる読み仮名を漢字変換し、この漢字を含む語句を変換候補として、ＲＡＭ３に格納する。
【００８９】
次に、制御部１は、図８，Ｓ３３の処理で選択式辞書が選択されているか否かを判別する（Ｓ５３）。この判別が“ＹＥＳ”である場合、制御部１は、Ｓ５２でＲＡＭ３に格納された変換候補と選択式辞書に記憶された置換情報との比較を行う（Ｓ５４）。具体的には、制御部１は、通常の辞書に基づいて変換されてＲＡＭ３に格納された変換候補に含まれる語句が、図８，Ｓ３３の処理で選択された選択式辞書によって置き換えられる語句に含まれるものであるか否かの判断を行う。
【００９０】
Ｓ５４の比較の結果、ＲＡＭ３に格納されている変換候補に含まれる語句が、選択式辞書に置換情報として記憶されているものである場合には、制御部１は、ＲＡＭ３に格納されている語句を、表示文字変換手段により、選択式辞書に記憶されている異なる表現に置き換えて変換候補表示部１２や入力文字表示部１１に表示する（Ｓ５５）。一方、ＲＡＭ３に格納されている変換候補に含まれる語句が、選択式辞書に置換情報として記憶されているものでない場合には、制御部１は、通常の辞書に基づいて変換候補として決定された語句を、そのままの表現で変換候補表示部１２や入力文字表示部１１に表示する（Ｓ５５）。また、図８，Ｓ３３の処理で選択式辞書が選択されていなくて、Ｓ５３の判別が“ＮＯ”である場合には、制御部１は、Ｓ５２の処理で決定された変換候補を、そのまま変換候補表示部１２や入力文字表示部１１に表示する（Ｓ５５）。Ｓ５５の処理が終了すると、文字表示処理は終了する。
【００９１】
このような本変形例による携帯電話機によれば、辞書選択手段により複数の選択式辞書の中から一の選択式辞書が選択されると、読出手段により通常の辞書の中から読み出された漢字を含む語句と選択された選択式辞書に記憶された情報とが比較される（図１１，Ｓ５４参照）。この比較の結果、読出手段により読み出された漢字を含む語句が選択式辞書に基づいて置き換えられるものである場合には、読み出された語句は、表示文字変換手段により置き換えられた表現で変換候補表示部１２や入力文字表示部１１に表示される（図１１，Ｓ５５参照）。一方、読出手段により通常の辞書の中から読み出された漢字を含む語句が選択式辞書に基づいて置き換えられるものでない場合には、読み出された語句は、入力操作部８によって入力されたままの表現で変換候補表示部１２や入力文字表示部１１に表示される（図１１，Ｓ５５参照）。このため、読出手段による語句の読み出しは、通常の辞書の中から行われ、表示文字変換手段による置き換えは、通常の辞書の中から読み出された語句が変換候補表示部１２や入力文字表示部１１に表示される際に選択式辞書に基づいて行われるようになる。また、この構成においても、ユーザは、複数の人物向けに作成された複数の選択式辞書の中から所望の選択式辞書を選択することにより、変換候補表示部１２や入力文字表示部１１に表示される語句の表現を異ならせることができるようになる。このため、個々のユーザの語彙力に応じた適切な文字入力環境を提供することが可能になる。
【００９２】
また、上記第２の実施形態では、メール作成画面において文字入力を行う際に操作入力部８によって入力された語句が異なる表現に置き換えられる場合を説明したが、本発明はこれに限られるものではない。例えば、メール作成時ではなく、他の携帯電話機などで作成されたメールを受信した際に、選択式辞書を参照することで、メールの文章に含まれる語句を異なる表現に置き換えて表示させる構成としてもよい。具体的には、メールを受信する携帯電話機において、予めユーザである小学校の児童の学年に応じた選択式辞書を選択しておき、メールを受信した際に、「メールをうけとりました。そのまま  よみますか？  わかりやすく  なおしますか？」といったメッセージを表示部７に表示してから、メールを受信した携帯電話機のユーザ自身に、メールに含まれる文章中の語句の置き換えを行うか否かを選択させることも可能である。この場合、ユーザが「そのまま」表示させる選択をしたときには、受信したメールに含まれる文章中の語句の置き換えは行われず、「わかりやすく」表示させる選択をしたときには、受信したメールに含まれる文章中の語句が、選択されている選択式辞書に基づいて、異なる分かりやすい表現に置き換えられることになる。
【００９３】
また、上記の各実施形態では、文字入力機能を有する携帯電話機において、変換候補表示部１２に表示される読み仮名を選択式辞書に規定される漢字で表示する場合や、変換候補表示部１２や入力文字表示部１１に表示される語句を異なる表現に置き換える場合を説明したが、本発明はこれに限られるものではない。例えば、文字入力機能を有する機器の表示画面に表示される読み仮名を選択式辞書に規定される漢字で表示する機能や、当該機器の表示画面に表示される語句を異なる表現に置き換える機能を実現させるプログラムを、当該機器にインストールして、これらの各機能を実行させる構成とすることも可能である。このような各機能をプログラムとして実現させる構成においても、上記各実施形態における携帯電話機と同様の作用効果が奏されることになる。
【産業上の利用可能性】
【００９４】
上記各実施形態においては、本発明を携帯電話機に適用した場合について説明したが、文字入力機能を有する他の種々の電子機器に本発明を適用することも可能である。このような種々の電子機器などに本発明を適用した場合においても、上記各実施形態と同様の作用効果が奏される。
【図面の簡単な説明】
【００９５】
【図１】本発明の第１の実施形態による携帯電話機の構成を示すブロック図である。
【図２】図１に示す携帯電話機のメール作成時において文字入力を行う際に参照される辞書を決定する際に制御部によって行われる辞書決定処理の概略を示すフローチャートである。
【図３】（ａ）は、図１に示す携帯電話機で用いられる１年生用の選択式辞書の内容を概念的に示す図であり、（ｂ）は、辞書カスタマイズ処理において１年生用の選択式辞書の内容が変更された状態を示す図である。
【図４】図１に示す携帯電話機のメール作成画面において入力された読み仮名を表示部に表示させる際に制御部によって行われる文字表示処理の概略を示すフローチャートである。
【図５】図４に示す文字表示処理において予測変換された変換候補が変換候補表示部に表示された状態を示す図であり、（ａ）は通常の辞書が選択されている場合、（ｂ）は選択式辞書が選択されている場合を示している。
【図６】本発明の変形例による携帯電話機のメール作成画面において入力された読み仮名を表示部に表示させる際に制御部によって行われる文字表示処理の概略を示すフローチャートである。
【図７】図６に示す文字表示処理において予測変換された変換候補に基づいて作成された文章が入力文字表示部に表示された状態を示す図であり、（ａ）は、通常の辞書がセットされて作成された文章が表示された状態、（ｂ）は、選択式辞書がセットされて作成された文章が表示された状態を示している。
【図８】本発明の第２の実施形態による携帯電話機のメール作成時において文字入力を行う際に参照される辞書を決定する際に制御部によって行われる辞書決定処理の概略を示すフローチャートである。
【図９】本発明の第２の実施形態による携帯電話機のメール作成画面において入力された語句を表示部に表示させる際に制御部によって行われる文字表示処理の概略を示すフローチャートである。
【図１０】図９に示す文字表示処理において変換された変換候補に基づいて作成された文章が入力文字表示部に表示された状態を示す図であり、（ａ）は、通常の辞書がセットされて作成された文章が表示された状態、（ｂ）は、児童向け辞書がセットされて作成された文章が表示された状態、（ｃ）は、幼児向け辞書がセットされて作成された文章が表示された状態を示している。
【図１１】本発明の変形例による携帯電話機のメール作成画面において入力された語句を表示部に表示させる際に制御部によって行われる文字表示処理の概略を示すフローチャートである。
【符号の説明】
【００９６】
１…制御部
２…ＲＯＭ
３…ＲＡＭ
７…表示部
８…入力操作部
１１…入力文字表示部
１２…変換候補表示部
【図１】
2010020681.tif 000003
【図２】
2010020681.tif 000004
【図３】
2010020681.tif 000005
【図４】
2010020681.tif 000006
【図５】
2010020681.tif 000007
【図６】
2010020681.tif 000008
【図７】
2010020681.tif 000009
【図８】
2010020681.tif 000010
【図９】
2010020681.tif 000011
【図１０】
2010020681.tif 000012
【図１１】
2010020681.tif 000013